【事件の表示】
　特願２０１３−　６７７５１「放射線画像撮影システム」拒絶査定不服審判事件〔平成２５年　６月２７日出願公開、特開２０１３−１２６６０４〕について、次のとおり審決する。
【結　論】
　本件審判の請求は、成り立たない。
【理　由】
第１　手続の経緯
　
　本願は、平成２０年２月１４日（優先権主張平成１９年３月１４日）に出願した特願２００９−５０３９３２号の一部を平成２５年３月２８日に新たな特許出願としたものであって、平成２５年７月９日付けで拒絶理由が通知され、同年８月２７日付けで意見書が提出されるとともに、同日付けで手続補正がなされたが、同年１１月１１日付けで拒絶査定がなされ、これに対して、同年１２月２６日に拒絶査定不服審判の請求がなされたものである。
　
　
第２　本願発明
　本願の請求項１に係る発明（以下「本願発明」という。）は、平成２５年８月２７日付けの手続補正により補正された特許請求の範囲の請求項１に記載された事項により特定される次のとおりのものと認める。　
「　複数の撮影室を用いて撮影オーダ情報に基づき放射線撮影を行う放射線画像撮影システムにおいて、
　前記複数の撮影室で使用可能な、放射線画像データを生成する少なくとも一の可搬型の放射線画像検出装置と、
　前記撮影オーダ情報を表示し、入力操作部からの操作者の入力に基づき前記表示された撮影オーダ情報の中から撮影オーダ情報を選択し、前記可搬型の放射線画像検出装置から放射線画像データを受信し、当該受信された放射線画像データと前記選択された撮影オーダ情報とを対応付けて記憶する少なくとも一のコンソールと、
　前記複数の撮影室の各々に対応して設けられ、前記可搬型の放射線画像検出装置の撮影室への入室及び撮影室からの退室を検出する検出手段と、
　を有し、
　前記コンソールは、前記検出手段による前記可搬型の放射線画像検出装置の撮影室への入室及び撮影室からの退室の検出に基づき、前記複数の撮影室の各々に対する前記可搬型の放射線画像検出装置の所在を表示することを特徴とする放射線画像撮影システム。」
第３　引用例
　
１　原査定の拒絶の理由に引用され、本願の優先日前に電気通信回線を通じて公衆に利用可能となった国際公開第２００６／０９５５３８号（以下「引用例１」という。）には、次の事項が記載されている（下線は当審において付加したものである。）。
　
（１）「［００３２］
〔第１実施形態〕
・・・（中略）・・・
［００４４］
　表示部３２は、例えば、ＣＲＴ（Cathode Ray Tube）やＬＣＤ（Liquid Crystal Display）等を備えて構成されており、制御部２９から出力される表示信号の指示に従って、各種画面を表示するものである。
表示部３２では、
放射線画像検出器５に関する各種情報が表示可能である
・・・（中略）・・・
［０１２２］
　また、コンソール６や放射線画像検出器５での手入力によらず、
ＩＣタグ付きの放射線画像検出器５を撮影室の出入り口に備えたセンサを通過させることにより、撮影室に放射線画像検出器５を持ち込む際に当該放射線画像検出器５の認識情報をセンサを通じてコンソール６が検知する
（２）「［０１２７］
〔第２実施形態〕
・・・（中略）・・・
［０１６０］
　また、対応付けは、コンソール６や放射線画像検出器５での手入力によらず、
ＩＣタグ付きの放射線画像検出器５を撮影室の出入り口に備えたセンサを通過させることにより、撮影室に放射線画像検出器５を持ち込む際に当該放射線画像検出器５の認識情報をセンサを通じてコンソール６が検知する
（３）「［０１６５］
〔第３実施形態〕
　次に第３実施形態について説明する。
　第３実施形態では、第１及び第２実施形態における放射線画像撮影システム１におけるコンソール６の指示に基づく動作の一つが、放射線画像検出器５に対応付けられたコンソール６に画像を送信するのに対し、少なくとも放射線画像検出器５に対応付けられたコンソールに画像を送信する、つまり、放射線画像検出器５に関連付けられたコンソールに画像を送信する場合について説明する。
・・・（中略）・・・
［０１６８］
　本実施形態による
放射線画像撮影システム１０１は、
放射線を用いて画像撮影を行うシステムであり、
撮影室１５０を管理し撮影室１５０内に設置された放射線画像検出器１０６を操作するコンソール１０７ａ，１０７ｂ，１０７ｃとがネットワーク１０８を通じて接続され相互に情報の送受信が可能となるように構成されている。
［０１６９］
　なお、ネットワーク１０８に接続されるコンソールの数は３つに限定されず、さらに
複数のコンソールが接続され
撮影室１５０の数は図示したものに限定されず、複数の撮影室１５０が設けられていてもよい。撮影室１５０とコンソール１０７とは、それぞれ１対１で対応付けられていてもよい
（４）「［０１７１］
　サーバ１０２は、図９に示すように、コンピュータで構成されており、図１０に示すように、サーバ１０２には、サーバ１０２を構成する各部を制御する制御部１３１、各種情報を記憶する外部記憶装置１３２、各種情報や操作者の指示を入力する入力操作部１３３、入力された情報等を表示する表示部１３４等が設けられ、各部はバス１３５により接続されている。
［０１７２］
　入力操作部１３３は、例えば、キーボードやマウス等から構成されており、キーボードで押下操作されたキーの押下信号やマウスによる操作信号を入力信号として制御部１３１に対して出力する。
［０１７３］
　特に、本実施形態に係る放射線画像撮影システム１０１においては、入力操作部１３３は、患者情報入力手段として、前記患者情報や撮影情報等の入力を行うようになっており、これにより撮影を行う予定となっている患者１１１の登録が行われる。なお、入力操作部１３３によって入力される情報はここに例示したものに限定されない。
［０１７４］
　患者情報とは、例えば、患者１１１の氏名、年齢、性別、生年月日、患者１１１を特定するための患者ＩＤ番号等の患者１１１に関する情報である。また、
撮影情報とは、撮影部位（患者１１１の身体上の撮影する部分）、管電圧や照射線量（mAs値）等の撮影条件、撮影する方向や方法等の撮影を行うために必要な情報である。
・・・（中略）・・・
［０１７７］
　特に、本実施形態において、制御部１３１は、患者リスト生成手段として、入力操作部１３３によって入力された情報又はコンソール１０７等の外部装置によって入力されネットワーク１０８を通じて送られた
患者情報や撮影情報等をそれぞれ対応付けたリスト（以下「患者リスト」と称する。）
（５）「［０１８６］
　次に、
コンソール１０７は、
制御部１１４、
表示部１１７、入力操作部１１８、
等を備えて構成されており、
［０１８７］
　
表示部１１７は、
患者リスト、各種のメッセージ
画像等、各種画面を表示するものである。
（６）「［０１９０］
　放射線画像検出器１０６の識別情報を入力するコンソール１０７は、例えば、当該放射線画像検出器１０６が設置された撮影室１５０を管理するコンソール１０７である。撮影室１５０を管理するコンソール１０７が設置される位置は特に限定されないが、当該撮影室１５０や放射線照射操作装置１０４に最も近い位置に設置されているコンソール１０７であることが好ましい。このようにすることにより、撮影を行う際、撮影室１５０や放射線照射操作装置１０４に近い位置から撮影室１５０内の放射線画像検出器１０６の操作等を行うことが可能となる。
［０１９１］
　また、
前記表示部１１７には、サーバ１０２からネットワークを通じて送信される患者リストが表示されるようになっており、入力操作部１１８は、患者選択手段として、この患者リストの中から撮影を行う患者やその撮影部位等を選択可能となっている。
［０１９２］
　また、
コンソール１０７に対応付けられている放射線画像検出器１０６が複数ある場合には、入力操作部１１８は、そのうちいずれの放射線画像検出器１０６によって撮影を行うかを選択可能となっている。
［０１９４］
　また、入力操作部１１８は、所定操作に基づいて放射線画像検出器１０６による検出結果に基づく放射線画像情報の転送指示に係る信号を制御部１１４に対して出力する。本実施形態においては、
撮影によって得られた放射線画像情報は、撮影に使用された放射線画像検出器１０６と対応付けられ撮影の際に放射線画像検出器１０６を操作したコンソール１０７に転送され、
コンソール１０７の制御部１１４において、前記撮影前の設定の際に患者リストから選択された患者の患者情報や撮影情報等と対応付けられる。患者情報や撮影情報等と対応付けられた放射線画像情報は、
記憶装置等に保存される。
（７）「［０２０１］
　なお、制御部１１４がコンソール１０７と対応付ける放射線画像検出器１０６を識別するための入力方式はここに示したものに限定されず、例えば、
放射線画像検出器１０６に放射線画像検出器１０６を識別するための識別情報としてＩＣタグ
を付しておき、これを所定の読取装置等によって読み取ることにより放射線画像検出器１０６の識別情報が入力されて、制御部１１４がこの識別情報を取得するようにしてもよい。
（８）「［０２０３］
　なお、
放射線画像検出器１０６が一旦あるコンソール１０７と対応付けられた後に当初設置された撮影室１５０から移動して別の撮影室１５０に移動したような場合には、
移動先の撮影室１５０を管理するコンソール１０７の制御部１１４により改めて放射線画像検出器１０６とコンソール１０７との対応付けが行われる。
移動先の撮影室１５０を管理するコンソール１０７と放射線画像検出器１０６との間に新たな対応関係が形成されると、前に対応付けを行ったコンソール１０７との対応関係は解除される。
［０２０４］
　具体的には、例えば、ある撮影室１５０に放射線画像検出器１０６が搬入され、当該撮影室１５０を管理するコンソール１０７ａの入力操作部１１８から検出装置ＩＤが入力されると、制御部１１４は、当該放射線画像検出器１０６を撮影の際に操作するコンソール１０７としてコンソール１０７ａを対応付ける。その後、放射線画像検出器１０６が別の
撮影室１５０に移動し、コンソール１０７ｂが当該撮影室１５０を管理しているときは、コンソール１０７ｂの入力操作部１１８から放射線画像検出器１０６の検出装置ＩＤが入力され、制御部１１４は、当該放射線画像検出器１０６を撮影の際に操作するコンソール１０７として当該コンソール１０７ｂを対応付けるようになっている。当該コンソール１０７ｂと放射線画像検出器１０６との間に新たな対応関係が形成されると、前に対応付けを行ったコンソール１０７ａと放射線画像検出器１０６との対応関係は解除される。」
（９）上記（７）に摘記したように、引用例１には、第３実施形態においてＩＣタグを用いる場合に、読取装置の配置については明記されていないが、上記（１）及び（２）に摘記したように、第１実施形態及び第２実施形態においてＩＣタグを用いる場合には、「ＩＣタグ付きの放射線画像検出器５を撮影室の出入り口に備えたセンサを通過させることにより、撮影室に放射線画像検出器５を持ち込む際に当該放射線画像検出器５の認識情報をセンサを通じてコンソール６が検知する」ものである。そして、上記摘記事項（３）の段落［０１６５］の記載によれば、第３実施形態と第１実施形態及び第２実施形態との相違は、画像の送信先であることから、第３実施形態においても「撮影室１５０の出入り口に読取装置を備え」、「撮影室１５０に放射線画像検出器１０６を持ち込む際に識別情報を読み取る」ものと認められる。
（１０）引用例１の第３実施形態では、患者の選択を、コンソール１０７の表示部１１７に表示された患者リストから、入力操作部１１８により選択することで行っている（上記摘記事項（６）の段落［０１９１］）。
　一方、コンソール１０７に対応付けられた複数の放射線画像検出器１０６から撮影に使用する放射線画像検出器１０６を選択する方法については、入力操作部１１８により選択することは記載されているが（上記摘記事項（６）の段落［０１９２］）、その詳細については明記されていない。
　ここで、第３実施形態におけるコンソール１０７の表示部１１７は、患者リストや画像のほか各種のメッセージを表示するものであり（上記摘記事項（５）の段落［０１８７］）、画像の送信先において相違する第１実施形態では、表示部３２は放射線画像検出器５に関する各種情報を表示可能である（上記摘記事項（１）の段落［００４４］）。
　これらの記載事項を勘案すると、引用例１の第３実施形態において、「撮影に使用する放射線画像検出器１０６の選択は、コンソール１０７に対応付けられた複数の放射線画像検出器１０６のリストを表示部１１７に表示し、表示されたリストの中から入力操作部１１８により選択することにより行われる」ものと認められる。
２　引用例１に記載された発明の認定
　上記１（１）ないし（１０）を含む引用例１全体の記載を総合すると、引用例１には、
「　放射線を用いて画像撮影を行う放射線画像撮影システム１０１であり、
　複数の撮影室１５０及び複数のコンソール１０７が設けられ、撮影室１５０とコンソール１０７とは、それぞれ１対１で対応付けられており、
　患者リストは、患者情報や撮影情報等をそれぞれ対応付けたものであって、撮影情報とは、撮影部位、管電圧や照射線量等の撮影条件、撮影する方向や方法等の撮影を行うために必要な情報であり、
　コンソール１０７は、撮影室１５０を管理し撮影室１５０内に設置された放射線画像検出器１０６を操作するものであって、
　制御部１１４、表示部１１７、入力操作部１１８、記憶装置等を備えて構成されており、表示部１１７には、サーバ１０２からネットワークを通じて送信される患者リストが表示されるようになっており、入力操作部１１８は、患者選択手段として、この患者リストの中から撮影を行う患者やその撮影部位等を選択可能となっており、
　撮影によって得られた放射線画像情報は、撮影に使用された放射線画像検出器１０６と対応付けられ撮影の際に放射線画像検出器１０６を操作したコンソール１０７に転送され、コンソール１０７の制御部１１４において、前記撮影前の設定の際に患者リストから選択された患者の患者情報や撮影情報等と対応付けられ、患者情報や撮影情報等と対応付けられた放射線画像情報は、記憶装置に保存され、
　放射線画像検出器１０６には放射線画像検出器１０６を識別するための識別情報としてＩＣタグが付され、
　撮影室１５０の出入り口に備えた読取装置により撮影室１５０に放射線画像検出器１０６を持ち込む際に識別情報を読み取って、放射線画像検出器１０６がコンソール１０７と対応付けられ、放射線画像検出器１０６が別の撮影室１５０に移動し、移動先の撮影室１５０を管理するコンソール１０７と放射線画像検出器１０６との間に新たな対応関係が形成されると、前に対応付けを行ったコンソール１０７との対応関係は解除され、
　コンソール１０７は対応付けられた複数の放射線画像検出器１０６のリストを表示部１１７に表示し、表示されたリストの中から撮影に使用する放射線画像検出器１０６を入力操作部１１８により選択するように構成された放射線画像撮影システム１０１。」
の発明（以下「引用発明」という。）が記載されている。
３　原査定の拒絶の理由に引用され、本願の優先日前に頒布された刊行物である特開２００６−２６２８３号公報（以下「引用例２」という。）には、次の事項が記載されている（下線は当審において付加したものである。）。
　
（１）「【０００３】
　この放射線撮影システムにあっては、システム構成の自由度を向上させる上で、撮影室に配設されたＦＰＤを所定の通信回線を介して、撮影動作を制御するためのＰＣ（Personal Computer）等の所定の撮影動作制御装置（コントローラ）と接続して使用するように構成されたものが知られている（例えば、特許文献１参照）。
　また、ＦＰＤの運搬性・取扱い性の向上を目的として当該ＦＰＤをカセッテに収容したカセッテ型ＦＰＤも開発されている（例えば、特許文献２参照）。さらに、カセッテ型ＦＰＤと撮影動作制御装置とが無線方式により放射線画像情報等の各種情報を通信可能にシステム構成されたものも提案されている（例えば、特許文献３参照）。」
（２）「【００２５】
　以下、図面を参照して本発明の実施の形態を詳細に説明する。ただし、発明の範囲は、図示例に限定されない。図１は、本発明を適用した実施形態として例示する放射線撮影システムの概略構成を示す図である。
　図１に示すように、
放射線撮影システム１００は、例えば、第一撮影室Ｒ１、第二撮影室Ｒ２、第三撮影室Ｒ３の３つの撮影室にわたって構成されているものである。第一撮影室Ｒ１、第二撮影室Ｒ２、第三撮影室Ｒのそれぞれには、
複数の放射線画像検出装置２と、各撮影室Ｒ１，Ｒ２，Ｒ３のそれぞれに設置された放射線画像検出装置２の撮影動作の制御、放射線画像の表示及び放射線画像の画像処理等を行うコンソール３とが設置されている。
（３）「【００５６】
　先ず、各撮影室Ｒ１，Ｒ２，Ｒ３において、新たな放射線画像検出装置２がネットワークＮに接続されると、その放射線画像検出装置２の通信部２６からは識別情報及びシンチレータ情報がサーバ４に送信される（ステップＳ１）。サーバ４の制御部４１は、取得した識別情報及びシンチレータ情報を基にして管理プログラムに従いながら、ネットワークＮに接続された放射線画像検出装置２のシンチレータ情報を管理する（ステップＳ２）。ここで、
サーバ４は、ネットワークＮに接続された全ての放射線画像検出装置２を撮影室Ｒ１，Ｒ２，Ｒ３毎にグループ化して管理している。
【００５７】
　その後、
コンソール３の制御部３１は、担当する撮影室Ｒ１，Ｒ２，Ｒ３に対応するシンチレータ情報のグループをサーバ４から取得して、当該撮影室Ｒ１，Ｒ２，Ｒ３に存在する全ての放射線画像検出装置２のシンチレータ情報を表示部３４に表示させる
【００５８】
　撮影者は、表示部３４に表示されたシンチレータ情報を基に、各患者の予約を行う（ステップＳ４）。予約時においては、撮影者は操作入力部３５を操作することで、コンソール３に患者の体格（身長や体重など）や撮影部位などの撮影条件を入力する。
コンソール３の制御部３１は入力された撮影条件を基に、この撮影条件に対応可能なシンチレータ情報の候補を選択し、候補とされたシンチレータ情報と、他のシンチレータ情報とが視覚的に区別されるように、表示部３４に表示させる。撮影者は、候補とされたシンチレータ情報と、他のシンチレータ情報とを参照にしながら、操作入力部３５を操作して、撮影条件に最適な検出部２４を備えた放射線画像検出装置２を選択し、コンソール３に入力する。
　なお、
撮影条件に最適な放射線画像検出装置２がグループ内にない場合には、コンソール３の制御部３１は、他のグループのシンチレータ情報を取得して、表示部３４に表示させる。
（４）　上記摘記事項（３）の段落【００５６】に記載されるように、撮影室ごとにグループ化した場合には、グループの単位は撮影室である。
４　引用例２に記載された技術の認定
　
　上記３（１）ないし（４）を含む引用例２全体の記載を総合すると、引用例２には、以下の技術が記載されている。
「　複数の撮影室それぞれに、複数の放射線画像検出装置と、コンソールとが設置された、放射線撮影システムにおいて、
　サーバは、ネットワークに接続された全ての放射線画像検出装置を撮影室毎にグループ化して管理し、
　放射線画像検出装置の選択の際、コンソールの制御部は、担当する撮影室に対応するシンチレータ情報のグループをサーバから取得して、当該撮影室に存在する全ての放射線画像検出装置のシンチレータ情報を表示部に表示させ、撮影条件に最適な放射線画像検出装置が撮影室内にない場合には、コンソールの制御部は、他の撮影室のシンチレータ情報を取得して、表示部に表示させる技術。」
（以下「引用例２技術」という。）
第４　本願発明と引用発明との対比
　
１　対比
　
　本願発明と引用発明とを対比する。
　
（１）
ア　引用発明の「放射線を用いて画像撮影を行う放射線画像撮影システム１０１」は、本願発明の「放射線撮影を行う放射線画像撮影システム」に相当する。
イ　引用発明の「患者情報」及び「撮影部位、管電圧や照射線量等の撮影条件、撮影する方向や方法等の撮影を行うために必要な情報」である「撮影情報」は、本願発明の「撮影オーダ情報」に相当する。
ウ　引用発明において、「放射線を用い」た「画像撮影」が、「患者情報」及び「撮影情報」に基づいて行われることは明らかである。
エ　引用発明は、「複数の撮影室１５０」が設けられたものであるから、「複数の撮影室１５０」を用いて「放射線を用い」た「画像撮影」が行われることは明らかである。
オ　以上のことから、引用発明の「複数の撮影室１５０」が「設けられ」、「患者情報」及び「撮影部位、管電圧や照射線量等の撮影条件、撮影する方向や方法等の撮影を行うために必要な情報」である「撮影情報」に基づいて、「放射線を用いて画像撮影を行う放射線画像撮影システム１０１」は、本願発明の「複数の撮影室を用いて撮影オーダ情報に基づき放射線撮影を行う放射線画像撮影システム」に相当する。
（２）
ア　引用発明の「放射線画像検出器１０６」は、本願発明の「少なくとも一の」「放射線画像検出装置」に相当する。
イ　引用発明の「放射線画像検出器１０６」は、「別の撮影室１５０に移動し、移動先の撮影室１５０を管理するコンソール１０７と」「新たな対応関係が形成される」ものであるから、可搬型であり、複数の撮影室で使用可能なものである。
ウ　引用発明の「放射線画像情報」は、本願発明の「放射線画像データ」に相当する。
エ　引用発明の「放射線画像情報」は、「撮影によって得られ」るものであるから、「放射線画像検出器１０６」が生成していることは明らかである。
オ　以上のことから、引用発明の「放射線画像情報」が「撮影によって得られ」、「別の撮影室１５０に移動し、移動先の撮影室１５０を管理するコンソール１０７と」「新たな対応関係が形成される」「放射線画像検出器１０６」は、本願発明の「前記複数の撮影室で使用可能な、放射線画像データを生成する少なくとも一の可搬型の放射線画像検出装置」に相当する。
（３）
ア　引用発明の「コンソール１０７」は、本願発明の「少なくとも一のコンソール」に相当する。
イ　引用発明の「コンソール１０７」は、その「表示部１１７」に「患者リストが表示されるようになっており」、「患者リスト」は、「患者情報や撮影情報等をそれぞれ対応付けたもの」であるから、「患者情報」及び「撮影情報」を表示するものである。
ウ　引用発明の「入力操作部１１８」は、本願発明の「入力操作部」に相当する。
エ　引用発明の「入力操作部１１８」は、「表示部１１７」に表示された「患者リストの中から撮影を行う患者やその撮影部位等を選択可能」であるから、「表示部１１７」に表示された「患者情報」及び「撮影情報」の中から「患者情報」及び「撮影情報」を「選択可能」であるといえ、その選択が操作者によって行われることは明らかである。
オ　引用発明は、「撮影によって得られた放射線画像情報は、撮影に使用された放射線画像検出器１０６と対応付けられ撮影の際に放射線画像検出器１０６を操作したコンソール１０７に転送され」るものであるから、引用発明の「コンソール１０７」は、「撮影の際に」「操作した」「放射線画像検出器１０６」から「撮影によって得られた放射線画像情報」を受信するものである。
カ　引用発明の「記憶装置に保存」することは、本願発明の「記憶する」ことに相当する。
キ　引用発明の「コンソール１０７」は、その「制御部１１４」において、「放射線画像検出器１０６」から「転送され」た「放射線画像情報」と、「撮影前の設定の際に患者リストから選択された患者の患者情報や撮影情報等」とを「対応付け」、「患者情報や撮影情報等と対応付けられた放射線画像情報」を「記憶装置に保存」するものであるから、受信された「放射線画像情報」と「撮影前の設定の際に」「選択された」「患者情報」及び「撮影情報」とを「対応付け」て「記憶装置に保存」するものである。
ク　以上のことから、引用発明の「表示部１１７」に「患者情報や撮影情報等をそれぞれ対応付けた」「患者リストが表示されるようになっており」、「入力操作部１１８は」、「この患者リストの中から撮影を行う患者やその撮影部位等を選択可能となっており」、「撮影の際に」「操作した」「放射線画像検出器１０６」から「撮影によって得られた放射線画像情報」を受信し、受信された「放射線画像情報」と「撮影前の設定の際に」「選択された」「患者情報」及び「撮影情報」とを「対応付け」て「記憶装置に保存」する「コンソール１０７」は、本願発明の「前記撮影オーダ情報を表示し、入力操作部からの操作者の入力に基づき前記表示された撮影オーダ情報の中から撮影オーダ情報を選択し、前記可搬型の放射線画像検出装置から放射線画像データを受信し、当該受信された放射線画像データと前記選択された撮影オーダ情報とを対応付けて記憶する少なくとも一のコンソール」に相当する。
（４）
ア　引用発明の「読取装置」が「ＩＣタグ」の「識別情報を読み取」る際に、「ＩＣタグ」を検出していることは明らかであるから、引用発明の「読取装置」は、本願発明の「検出手段」に相当する。
イ　引用発明の「撮影室１５０の出入り口に備えた読取装置」が、「複数の撮影室１５０」それぞれの「出入り口」に備えられることは明らかである。
ウ　引用発明の「読取装置」は、「撮影室１５０に放射線画像検出器１０６を持ち込む際に」「放射線画像検出器１０６」に「付され」た「ＩＣタグ」の「識別情報を読み取」るものであるから、「放射線画像検出器１０６」の「撮影室１５０」への入室を検出するものといえる。
エ　以上のことから、引用発明の「撮影室１５０の出入り口に備え」られ、「撮影室１５０に放射線画像検出器１０６を持ち込む際に」「放射線画像検出器１０６」に「付され」た「ＩＣタグ」の「識別情報を読み取」る「読取装置」と、本願発明の「前記複数の撮影室の各々に対応して設けられ、前記可搬型の放射線画像検出装置の撮影室への入室及び撮影室からの退室を検出する検出手段」とは、「前記複数の撮影室の各々に対応して設けられ、前記可搬型の放射線画像検出装置の撮影室への入室を検出する検出手段」である点において共通する。
（５）
ア　本願の明細書の段落【００８５】の「図１２は、コンソール７の表示部に、各撮影室１００に配置されている放射線画像検出装置６を表示させた例である。同図において、撮影を行う撮影室１００（例えば撮影室１）であれば、ＩＤ表示欄Ｈ４８には、当該表示画面Ｈ４を表示させているコンソールＩＤが表示されており、撮影室表示欄Ｈ４１乃至Ｈ４３及び、保管室表示欄Ｈ４４にはそれぞれの室内に配置されている放射線画像検出装置６のカセッテＩＤが表示されている。」との記載、及び【図１２】の記載を参酌するに、本願発明の「前記複数の撮影室の各々に対する前記可搬型の放射線画像検出装置の所在を表示すること」は、表示部の各撮影室の表示欄に、その撮影室に配置されている可搬型の放射線画像検出装置のカセッテＩＤを表示させることにより行うことを包含するものである。
イ　引用発明の「コンソール１０７」は、「対応付けられた複数の放射線画像検出器１０６のリストを表示部１１７に表示」するものであるところ、「撮影室１５０とコンソール１０７とは、それぞれ１対１で対応付けられて」いることから、「撮影室１５０」に「対応付けられた複数の放射線画像検出器１０６のリストを表示部１１７に表示」するものである。
ウ　そして、「放射線画像検出器１０６」と「コンソール１０７」との対応付け、すなわち、「放射線画像検出器１０６」と「撮影室１５０」との対応付けは、「撮影室１５０に放射線画像検出器１０６を持ち込む際に」「読取装置」が「放射線画像検出器１０６」に「付され」た「ＩＣタグ」の「識別情報を読み取」ることにより行われることから、「撮影室１５０」に「対応付けられた複数の放射線画像検出器１０６のリスト」は、「読取装置」による「放射線画像検出器１０６」の「撮影室１５０」への入室の検出に基づいた、「撮影室１５０」に配置されている「複数の放射線画像検出器１０６のリスト」であるといえる。
エ　以上のことから、引用発明の「コンソール１０７は対応付けられた複数の放射線画像検出器１０６のリストを表示部１１７に表示」することと、本願発明の「前記コンソールは、前記検出手段による前記可搬型の放射線画像検出装置の撮影室への入室及び撮影室からの退室の検出に基づき、前記複数の撮影室の各々に対する前記可搬型の放射線画像検出装置の所在を表示する」こととは、「前記コンソールは、前記検出手段による前記可搬型の放射線画像検出装置の撮影室への入室に基づき、前記撮影室に配置されている前記可搬型の放射線画像検出装置を表示する」ことである点において共通する。
２　一致点
　
　よって、本願発明と引用発明とは、
　
「　複数の撮影室を用いて撮影オーダ情報に基づき放射線撮影を行う放射線画像撮影システムにおいて、
　前記複数の撮影室で使用可能な、放射線画像データを生成する少なくとも一の可搬型の放射線画像検出装置と、
　前記撮影オーダ情報を表示し、入力操作部からの操作者の入力に基づき前記表示された撮影オーダ情報の中から撮影オーダ情報を選択し、前記可搬型の放射線画像検出装置から放射線画像データを受信し、当該受信された放射線画像データと前記選択された撮影オーダ情報とを対応付けて記憶する少なくとも一のコンソールと、
　前記複数の撮影室の各々に対応して設けられ、前記可搬型の放射線画像検出装置の撮影室への入室を検出する検出手段と、
　を有し、
　前記コンソールは、前記検出手段による前記可搬型の放射線画像検出装置の撮影室への入室に基づき、前記撮影室に配置されている前記可搬型の放射線画像検出装置を表示する放射線画像撮影システム。」
　
の発明である点で一致し、次の２点で相違する。
　
３　相違点
　
（相違点１）
　可搬型の放射線画像検出装置の撮影室への入室を検出する検出手段、及び、前記検出手段による検出に基づいた前記撮影室に配置されている前記可搬型の放射線画像検出装置の表示に関して、本願発明は、可搬型の放射線画像検出装置の「撮影室からの退室をも検出する」ものであり、それに伴い、表示が「撮影室からの退室の検出にも」基づいているのに対し、引用発明は、可搬型の放射線画像検出装置の「撮影室からの退室をも検出」し、表示が「撮影室からの退室の検出にも」基づいているものであるのかが不明である点。
（相違点２）
　コンソールが、本願発明は、「前記複数の撮影室の各々に対する」前記可搬型の放射線画像検出装置の「所在」を表示するのに対し、引用発明は、「対応する前記撮影室に配置されている」前記可搬型の放射線画像検出装置を表示する点。
第５　当審の判断
　
１　上記各相違点について検討する。
（１）相違点１について
　ＩＣタグを検出して入室を検出する技術において、上記相違点１に係る本願発明の発明特定事項のように、検出手段により入室及び退室を検出し、入室の検出及び退室の検出に基づいて室内に存在するものを表示することは、本願優先日前において周知である（必要であれば、特開２００５−６４７２５号公報、特開２００６−３４４１５８号公報、特開昭６３−２０４３８８号公報を参照されたい。）。
　引用発明は、「対応付けられた複数の放射線画像検出器１０６のリストを表示部１１７に表示し、表示されたリストの中から撮影に使用する放射線画像検出器１０６を入力操作部１１８により選択する」ものであるところ、放射線画像検出器１０６の撮影室１５０への入室のみを検出して対応付けを行う場合には、放射線画像検出器１０６が撮影室１５０から退室しても他の撮影室１５０に入室しない限りは退室前の撮影室１５０に入室しているものとして扱われるため、このような撮影室１５０から退室されてすぐに使用することができない放射線画像検出器１０６が前記リスト中に含まれていない方が、作業効率上好ましいことは明らかであるから、撮影室１５０に配置されており、すぐに使用可能な放射線画像検出器１０６のみを前記リスト中に表示させることは、引用発明に内在される課題であるといえる。
　してみると、引用発明において、上記内在される課題を解決すべく、撮影室１５０に配置されており、すぐに使用可能な放射線画像検出器１０６のみをリスト中に表示させるために、上記周知技術を適用し、撮影室１５０から放射線画像検出器１０６が退室する際にも識別情報を読み取るようにし、対応付けられた複数の放射線画像検出器１０６のリストから、撮影室１５０から退室された放射線画像検出器１０６を排除したリストを作成して表示するようにして、上記相違点１に係る本願発明の発明特定事項のように構成することは、当業者が容易に想到し得ることである。
（２）相違点２について
　引用例２には、上記第３の４のとおり、
「　複数の撮影室それぞれに、複数の放射線画像検出装置と、コンソールとが設置された、放射線撮影システムにおいて、
　サーバは、ネットワークに接続された全ての放射線画像検出装置を撮影室毎にグループ化して管理し、
　放射線画像検出装置の選択の際、コンソールの制御部は、担当する撮影室に対応するシンチレータ情報のグループをサーバから取得して、当該撮影室に存在する全ての放射線画像検出装置のシンチレータ情報を表示部に表示させ、撮影条件に最適な放射線画像検出装置が撮影室内にない場合には、コンソールの制御部は、他の撮影室のシンチレータ情報を取得して、表示部に表示させる技術。」
である引用例２技術が記載されている。
　引用例１及び２に接した当業者にとって、複数の撮影室及び複数の放射線画像検出器を備えた放射線画像撮影システムとして引用例２技術と共通する引用発明においても、引用例２技術のように他の撮影室に存在する放射線画像検出器１０６の情報を表示させることにより、放射線画像検出器１０６を選択する際の利便性を向上させることが可能であることは、明らかな事項であるといえるから、引用発明において、引用例２技術に基づき、コンソール１０７の表示部１１７により、当該コンソール１０７と対応付けられていない他の撮影室１５０に対応付けられた放射線画像検出器１０６を表示させるようにすること、すなわち、他の撮影室１５０に存在する放射線画像検出器１０６をも表示させるようにすることは、当業者が容易に想到し得ることである。
　そして、引用発明において、コンソール１０７の表示部１１７により、他の撮影室１５０に存在する放射線画像検出器１０６をも表示させるようにした結果、コンソール１０７により、複数の撮影室１５０の各々に存在する放射線画像検出器１０６を表示すること、すなわち、複数の撮影室１５０の各々に対する放射線画像検出器１０６の所在を表示することができるようになり、引用発明は、上記相違点２に係る本願発明の発明特定事項を備えたものとなる。
　よって、上記相違点２に係る本願発明の発明特定事項は、引用発明及び引用例２技術に基づいて、当業者が容易に想到し得ることである。
２　本願発明の奏する作用効果
　
　本願発明によってもたらされる効果は、引用発明、引用例２技術及び周知技術から当業者が予測し得る程度のものである。
　
３　まとめ
　
　以上のとおりであり、本願発明は、引用発明、引用例２技術及び周知技術に基いて当業者が容易に発明をすることができたものであるから、特許法第２９条第２項の規定により特許を受けることができない。
　
　
第６　むすび
　
　以上のとおりであるから、本願発明は、特許法第２９条第２項の規定により特許を受けることができない。
　
　したがって、その余の請求項に係る発明について論及するまでもなく、本願は拒絶すべきものである。
　
　
　よって、結論のとおり審決する。